(57)【特許請求の範囲】
【請求項１】
収音を行うマイクロホンユニットを有するマイクヘッドがマイクロホン本体に着脱可能に装着されるマイクロホンであって、
前記マイクロホン本体側に設けられ、ミュート命令信号の入力により駆動するミュート回路と、前記マイクヘッド側に設けられ、配線の遮断／導通を切り換えるスイッチを有する第１のミュート制御回路と、前記マイクロホン本体側に設けられ、前記マイクヘッドが結合された状態、及び前記マイクヘッドの着脱の際に、前記第１のミュート制御回路と電気的に接続されると共に、前記ミュート命令信号を生成するための第２のミュート制御回路とを備え、
前記第１のミュート制御回路と前記第２のミュート制御回路とが電気的に接続され、且つ、前記スイッチにより前記第１のミュート制御回路の配線が導通された状態、或いは、前記第１のミュート制御回路と前記第２のミュート制御回路とが電気的に遮断された状態において、前記第２のミュート制御回路は前記ミュート命令信号を出力することを特徴とするマイクロホン。
【請求項２】
前記マイクヘッドと前記マイクロホン本体とは、バヨネット式の結合機構により結合されることを特徴とする請求項１に記載されたマイクロホン。
【請求項３】
前記マイクヘッドに設けられ、前記第１のミュート制御回路のスイッチの切り換えを操作するためのスライド部材を備え、
前記スイッチにより前記第１のミュート回路の配線が接続されるようにした前記スライド部材の位置において、
前記スライド部材により、前記マイクロホン本体の軸周りの回転がロックされることを特徴とする請求項１または請求項２に記載されたマイクロホン。
【請求項４】
前記マイクロホン本体は、
前記マイクヘッド側の第１のミュート制御回路と接続可能な前記第２のミュート制御回路を有する本体部材と、
前記本体部材を覆うカバー部材とを有し、
前記カバー部材は、前記マイクヘッド側に設けられた前記スライド部材を覆った状態で前記マイクヘッド側に結合されることを特徴とする請求項３に記載されたマイクロホン。
【発明の詳細な説明】
【技術分野】
【０００１】
本発明は、収音を行うマイクロホンユニットがマイクロホン本体に着脱可能に装着されてなるマイクロホンに関し、特に着脱の際にミュート可能なマイクロホンに関する。
【背景技術】
【０００２】
従来、ワイヤードまたはワイヤレスのマイクロホンにあっては、マイクロホン本体に対してマイクロホンユニットを内蔵するマイクヘッドを着脱可能に連結したものがある。その連結方法としては、専用の連結構造により固定したものや、図９に示すようにマイクロホン本体５１に対しマイクヘッド５２を、ネジ機構５３を用いて着脱する構成が一般的である。
【０００３】
ところで、前記のようにマイクロホン本体に対しマイクヘッドを着脱可能に構成したマイクロホンにあっては、その脱着の際にポップノイズが発生するという課題がある。即ち、間違って、或いは故意に電源を入れたままマイクヘッドを脱着しようとすると、大きなポップノイズが生じ、機器を破損するおそれがあった。
【０００４】
このような課題に対し、特許文献１には、マイクソケットとマイク初段アンプとにより構成されるマイクロホン回路において、マイクロホンユニットの脱着に応じてマイクソケットの接続が断続することを利用して、ミュート回路を動作、または遮断する構成が開示されている。
即ち、マイクロホンユニットを挿着または抜き去る瞬間に、ミュート回路を機能させることにより、マイクロホンユニットを脱着する際のポップノイズを回避している。
【先行技術文献】
【特許文献】
【０００５】
【特許文献１】実開平２−１２６４９７号公報
【発明の概要】
【発明が解決しようとする課題】
【０００６】
しかしながら、図示するようなネジ式の着脱構成の場合、マイクヘッド５２をマイクロホン本体５１に対し相対的に何回転も回す必要があり、手間を要するだけでなく、ミュート回路が動作するまでに摺動音がノイズとなって出力されるという課題があった。
さらに、マイクロホンユニットを何回転も回すことにより、各接点の摩擦により接点の寿命が短くなる、或いは接触不良が生じるおそれがあるという課題があった。
【０００７】
本発明は、前記した点に着目してなされたものであり、収音を行うマイクロホンユニットを有するマイクヘッドがマイクロホン本体に着脱可能に装着されてなるマイクロホンにおいて、マイクヘッドの着脱が容易であって、マイクヘッドの取り外し後だけでなく着脱の際にミュート動作可能なマイクロホンを提供することを目的とする。
【課題を解決するための手段】
【０００８】
前記した課題を解決するために、本発明に係るマイクロホンは、収音を行うマイクロホンユニットを有するマイクヘッドがマイクロホン本体に着脱可能に装着されるマイクロホンであって、前記マイクロホン本体側に設けられ、ミュート命令信号の入力により駆動するミュート回路と、前記マイクヘッド側に設けられ、配線の遮断／導通を切り換えるスイッチを有する第１のミュート制御回路と、前記マイクロホン本体側に設けられ、前記マイクヘッドが結合された状態、及び前記マイクヘッドの着脱の際に、前記第１のミュート制御回路と電気的に接続されると共に、前記ミュート命令信号を生成するための第２のミュート制御回路とを備え、前記第１のミュート制御回路と前記第２のミュート制御回路とが電気的に接続され、且つ、前記スイッチにより前記第１のミュート制御回路の配線が導通された状態、或いは、前記第１のミュート制御回路と前記第２のミュート制御回路とが電気的に遮断された状態において、前記第２のミュート制御回路は前記ミュート命令信号を出力することに特徴を有する。
このような構成によれば、スイッチにより着脱の間にも必ずミュート回路を駆動させることができるため、マイクヘッドをマイクロホン本体から取り外した後のみならず、着脱の際のポップノイズの発生を防止することができる。
【０００９】
尚、前記マイクヘッドと前記マイクロホン本体とは、バヨネット式の結合機構により結合されることが望ましい。
このようにバヨネット式の結合方式とすることにより、マイクヘッドの着脱を容易にし、第１のミュート制御回路と第２のミュート制御回路との接続を確実に行うことができる。
【００１０】
また、前記マイクヘッドに設けられ、前記第１のミュート制御回路のスイッチの切り換えを操作するためのスライド部材を備え、前記スイッチにより前記第１のミュート回路の配線が接続されるようにした前記スライド部材の位置において、前記スライド部材により、前記マイクロホン本体の軸周りの回転がロックされることが望ましい。
このようなスライド部材を設けることによって、着脱の際に必ず前記スイッチをスライドさせる必要があるため、着脱の際にミュート回路を駆動させることができる。
【００１１】
また、前記マイクロホン本体は、前記マイクヘッド側の第１のミュート制御回路と接続可能な前記第２のミュート制御回路を有する本体部材と、前記本体部材を覆うカバー部材とを有し、前記カバー部材は、前記マイクヘッド側に設けられた前記スライド部材を覆った状態で前記マイクヘッド側に結合されることが望ましい。
このように通常はカバー部材でスライド部材を覆うことによって、不用意にスライド部材をスライドさせることを防止することができる。
【発明の効果】
【００１２】
収音を行うマイクロホンユニットを有するマイクヘッドがマイクロホン本体に着脱可能に装着されてなるマイクロホンにおいて、マイクヘッドの着脱が容易であって、マイクヘッドの取り外し後だけでなく着脱の際にミュート動作可能なマイクロホンを得ることができる。
【図面の簡単な説明】
【００１３】
【図１】図１は、本発明に係るマイクロホンの平面図である。
【図２】図２は、図１のマイクロホンの側面図である。
【図３】図３は、図１のマイクロホンの先端側を拡大して示す断面図である。
【図４】図４は、マイクヘッドの下端側を示す斜視図である。
【図５】図５は、マイクロホン本体が有する本体部材の斜視図である。
【図６】図６は、マイクヘッドの下端側を分解した斜視図である。
【図７】図７は、マイク側ミュート制御回路と本体側ミュート制御回路である。
【図８】図８は、マイクロホン本体に対するマイクヘッドの着脱作業に伴うミュート制御回路の動作について説明するための側面図である。
【図９】図９は、従来のマイクロホンにおいて、マイクヘッドとマイクロホン本体との結合方式の例を示す斜視図である。
【発明を実施するための形態】
【００１４】
以下、本発明の実施の形態を図面に基づき説明する。図１は、本発明に係るマイクロホンの平面図であり、図２はその側面図である。また、図３は、マイクロホンの先端側を拡大して示す断面図である。
【００１５】
図示するマイクロホン１は、収音を行うマイクロホンユニット（図示せず）を内蔵するマイクヘッド２と、このマイクヘッド２に対し着脱可能に設けられたマイクロホン本体３とにより構成される。尚、本実施形態において、図１に示すマイクロホン１はワイヤレスマイクロホンであり、マイクロホン本体３の後端部にアンテナ部３０、外周面にディスプレイ２６が設けられている。
【００１６】
前記マイクロホン本体３は、図１乃至図３に示すようにオーディオ基板（図示せず）やアンテナ基板（図示せず）、さらにバッテリなどからなる本体部材４と、この本体部材４を収容する金属製の円筒状のカバー部材５と、カバー部材５の後部に連結されるグリップエンド部材２５とにより構成される。前記本体部材４とカバー部材５とは、それぞれマイクヘッド２側と独立して結合されている。
【００１７】
前記本体部材４は、図５の斜視図に示すように、その先端に、マイクヘッド２側と音声信号の授受を行うための円板状のコンタクト基板６と、マイクヘッド２側と機械的に結合するためのバヨネット式の本体側結合部７とを有している。前記本体側結合部７は前記コンタクト基板６の周りに外側に突出するよう形成された例えば３つのバヨネット爪７ａを有している。
【００１８】
また、前記コンタクト基板６には、周方向に沿って複数の円弧状の銅配線によるプリントパターン６ａ（後述の本体側端子Ｂ１、Ｂ２を含む）が形成されている。これらプリントパターン６ａには、マイクヘッド２を本体部材４に結合した際、図４の斜視図に示すマイクヘッド２の下端に突出する複数（図では５本）のコンタクトピン８（後述のマイク側ピンＭ１、Ｍ２を含む）の先端部がそれぞれ当接し、摺動可能となっている。
【００１９】
また、図４に示すようにマイクヘッド２の下端周縁部には、前記本体部材４の先端側に設けられた本体側結合部７と係合するヘッド側結合部９が設けられている。このヘッド側結合部９は、周方向に沿って内側に突出するよう形成された例えば３つのバヨネット爪９ａを有している。
このようにマイクヘッド２と本体部材４とは、互いに結合可能なバヨネット式の結合部７、９を有しており、隣り合うバヨネット式爪７ａの間の空間にバヨネット爪８ａを挿入した後、マイクヘッド２を本体部材４に対して軸周りに所定角度（本実施の形態では６０度）だけ回すことにより、バヨネット爪７ａ、８ａが互いに係合し、マイクヘッド２と本体部材４とが容易に結合されるようになっている。
【００２０】
また、図６の分解図に示すようにマイクヘッド２は、収音を行うマイクロホンユニット（図示せず）を収容するヘッドケース１０を備え、その下端側が開口している。下端側開口の周縁部には、リング状のバヨネット部材９Ａ、９Ｂ、９Ｃを重ねて保持するための円環状の受け部１０ａが設けられ、この受け部１０ａには、周方向に沿って複数の螺子孔１０ｂが形成されている。前記バヨネット部材９Ａ、９Ｂ、９Ｃは、上下面が平坦な環状に形成され、互いに重ねた状態で使用される。
【００２１】
より詳しくは、バヨネット部材９Ａ、９Ｂの内側にバヨネット爪９ａが形成され、さらに環状のバヨネット部材９Ｃを重ねることによりバヨネット爪９ａの裏側に隙間を形成するようになされている。これらバヨネット部材９Ａ、９Ｂ、９Ｃには、周方向に沿って複数の貫通孔が形成されており、そこに螺子１３を挿通させて前記受け部１０ａの螺子孔１０ｂに螺入し、受け部１０ａに取り付けられるようになっている。
【００２２】
また、ヘッドケース１０の下端側開口側において、コンタクトピン８が突設されたコンタクト基板１１がキャップ部材１２により覆われた状態で取り付けられるようになっている。キャップ部材１２には、複数の貫通孔１２ａが形成されており、これら貫通孔１２ａからコンタクトピン８の先端側が突出するようになっている。
また、前記コンタクト基板１１上には、図７に示すようなマイク側ミュート制御回路２０（第１のマイクミュート制御回路）が設けられている。このミュート制御回路２０は、抵抗Ｒ１を介してハイ（Ｈ）に吊ったマイク側ピンＭ１と、このマイク側ピンＭ１とスイッチＳＷ１を介して接続されたマイク側ピンＭ２とを有している。
【００２３】
前記スイッチＳＷ１は、図６に示すようにコンタクト基板１１に搭載される。このスイッチＳＷ１のオンオフ操作は、ヘッドケース２Ａの下端部周縁に設けられたガイド部２Ａ１をスライド自在に設けられたスライド部材２３が、そのスライド動作に伴って押圧（ＳＷ１がオン）または解放（ＳＷ１がオフ）することによりなされる。
前記スライド部材２３は、マイク先端側に突出するスプリング支持ピン２３ａと、スイッチＳＷ１に当接可能な押圧ピン２３ｂと、マイクロホン本体３側に突出する着脱ロックピン２３ｃとを有している。
【００２４】
前記スプリング支持ピン２３ａは、スプリング２２内に挿入されてスプリング２２を支持する。スライド部材２３をマイクヘッド２側にスライドさせると、スプリング２２は圧縮されるため、スライド部材２３は伸長方向（マイクロホン本体３側）に付勢されるようになされている。
また、押圧ピン２３ｂは、スイッチＳＷ１の側方に配置され、スライド部材２３をマイクヘッド２側にスライドさせることによって、押圧ピン２３ｂがスイッチＳＷ１を押圧し、スイッチオン状態とするようになされている。
【００２５】
また、前記のようにスライド部材２３をマイクヘッド２側にスライドさせると、スライド部材２３はマイクロホン本体３側に付勢されるため、スライド部材２３から指を離すことによって、スライド部材２３はマイクロホン本体３側にスライドするとともに押圧ピン２３ｂがスイッチ２３から離れるようになっている。
【００２６】
また、着脱ロックピン２３ｃは、図３に示すようにマイクロホン本体３にマイクヘッド２を結合した際、マイクロホン本体３側に設けられた係合穴２７に挿入される（ロックされる）ようになっている。このため、マイクロホン本体３からマイクヘッド２を取り外す際には、スライド部材２３をマイクヘッド２側にスライドさせて、着脱ロックピン２３ｃを係合穴２７から抜いた状態とし、マイクヘッド２を軸周りに回転させる必要がある。
【００２７】
また、カバー部材５の後端には、略円筒状の金属製（例えば真鍮製）のグリップエンド部材２５が軸周りに回転自在に嵌装され、このグリップエンド部材２５の内周面には、螺子溝（図示せず）が形成されている。
一方、カバー部材５に覆われる本体部材４の後部には、前記グリップエンド部材２５側の螺子溝に螺合可能な螺子溝（図示せず）が形成されている。
前記カバー部材５と前記マイクヘッド２との結合は、前記グリップエンド部材２５と本体部材４の後部側とを螺合することにより、カバー部材５の前端がマイクヘッド２の後端側に当接し固定されることによりなされる。
また、このとき、スライド部材２３はカバー部材５によって覆われ、外に露出しないようになされている。これにより、不用意にスライド部材２３がスライドされる事故などを防止することができる。
【００２８】
また、前記マイク側ピンＰ１、Ｐ２と接続される本体部材４のコンタクト基板６には、図７に示すような本体側ミュート制御回路２１（第２のミュート制御回路）が設けられている。
この本体側ミュート制御回路２１は、マイクヘッド２が結合された際に前記マイク側ピンＭ１と接触する本体側端子Ｂ１と、マイク側端子Ｍ２と接触する本体側端子Ｂ２と、スイッチング素子としてのｎｐｎ型トランジスタＴ１と、オーディオミュート回路を作動させるマイクロプロセッサユニット（ＭＰＵと呼ぶ）２９とを有している。前記ｎｐｎ型トランジスタＴ１のベースには本体側端子Ｂ１が接続され、コレクタは抵抗Ｒ３を介してハイ（Ｈ）に吊られ、エミッタは本体側端子Ｂ２に接続されている。また、本体側端子Ｂ１と本体側端子Ｂ２との間には抵抗Ｒ２が設けられている。
【００２９】
続いて、マイクロホン本体３に対するマイクヘッド２の着脱作業に伴うミュート制御回路２０、２１の動作について説明する。
マイクロホン本体３からマイクヘッド２を取り外す場合、先ずグリップエンド部材２５と本体部材４との螺合を解除し、図８（ａ）に示すようにマイクヘッド２とカバー部材５とを分離して、スライド部材２３を露出させる。
次いで、図８（ｂ）に示すようにスライド部材２３をマイクヘッド２側にスライドする。これにより着脱ロックピン２３ｃが係合穴２７から抜かれるとともに、スイッチＳＷ１がオンとなる。この状態では、マイク側ピンＭ１、Ｍ２と本体側端子Ｂ１、Ｂ２は接続が維持されている。これにより、トランジスタＴ１のベースとエミッタは同電位となって、トランジスタＴ１はオンからオフになる。よって、トランジスタＴ１のコレクタからＭＰＵ２９の入力ポートがロー（Ｌ）からハイ（Ｈ）となり、これをミュート命令信号としてミュート回路が駆動する。
【００３０】
次いで、図８（ｃ）に示すように本体部材４に対してマイクヘッド２を軸周りに所定角度回転させ、マイクヘッド２を本体部材４から分離する。このとき、マイク側ピンＭ１、Ｍ２と本体側端子Ｂ１、Ｂ２とは分離されるが、本体側ミュート回路２１によってＭＰＵ２９の入力ポートはハイ（Ｈ）信号が維持され、ミュート回路は駆動したままとなる。
【００３１】
一方、マイクヘッド２をマイクロホン本体３に取り付ける場合、スライド部材２３をマイクヘッド２側にスライドした状態で、マイクヘッド２と本体部材４とを結合する。
このとき、スイッチＳＷ１はオンであり、マイク側ピンＭ１、Ｍ２と本体側端子Ｂ１、Ｂ２を接触させても、ＭＰＵ２９の入力ポートはハイ（Ｈ）信号が維持され、ミュート回路は駆動したままである。
【００３２】
そして、マイクヘッド２と本体部材４とを完全に結合し、スライド部材２３の着脱ロックピン２３ｃが、マイクロホン本体３側に設けられた係合穴２７に挿入されると、スイッチＳＷ１はオフとなる。また、スイッチＳＷ１がオフになると、トランジスタＴ１はオフからオンとなり、トランジスタＴ１のコレクタはロー（Ｌ）信号をＭＰＵ２９の入力ポートに供給し、ミュート回路の駆動が停止される。
【００３３】
また、最後に本体部材４の後部とグリップエンド部材２５とを螺合することにより本体部材４がカバー部材５に完全に覆われ（即ち、スライド部材２３がカバー部材５に覆われ）、マイクヘッド２とマイクロホン本体３との結合が完了する。
【００３４】
以上のように、本発明に係る実施の形態によれば、マイクヘッド２と本体部材４との結合を、バヨネット式の結合としたことにより、本体部材４に対しマイクヘッド２を軸周りに所定角度だけ回転させることで容易に着脱することができる。
また、マイクヘッド２のコンタクト基板１１とマイクロホン本体３のコンタクト基板６とに分けてミュート制御回路２０、２１を設け、着脱操作の間にも必ずミュート回路が駆動する構成としたため、マイクヘッド２をマイクロホン本体３から分離した後のみならず、着脱操作の間のポップノイズの発生を防止することができる。
【００３５】
尚、前記実施の形態にあっては、マイクロホンとしてワイヤレスマイクロホンを一例として説明するが、本発明に係るマイクロホンにあってはワイヤードのマイクロホンにも適用することができる。
【符号の説明】
【００３６】
１            マイクロホン
２            マイクヘッド
３            マイクロホン本体
４            本体部材
５            カバー部材
６            コンタクト基板
７            本体側結合部
８            コンタクトピン
９            ヘッド側結合部
１０          ヘッドケース
１１          コンタクト基板
１２          キャップ部材
１３          支持リング
１５          振動板
１９          固定極
２０          マイク側ミュート制御回路（第１のマイクミュート制御回路）
２１          本体側ミュート制御回路（第２のマイクミュート回路）
２３          スライド部材
ＳＷ１        スイッチ
【図１】
0006352157.tif 000002
【図２】
0006352157.tif 000003
【図３】
0006352157.tif 000004
【図４】
0006352157.tif 000005
【図５】
0006352157.tif 000006
【図６】
0006352157.tif 000007
【図７】
0006352157.tif 000008
【図８】
0006352157.tif 000009
【図９】
0006352157.tif 000010